(57)【特許請求の範囲】
【請求項１】
左右両側部が縦枠体にて構成された間仕切パネルにおけるフレームを、連結ブロックを介して平面視Ｌ字状やＴ字状、十字状等に連結するための連結装置であって、
前記各間仕切パネルにおけるフレームの適宜高さ位置にて複数箇所に前記連結ブロックを連結固定し、
前記間仕切パネルの配置されていない側面及び／又は隣接する間仕切パネルと連結ブロックとの配置隅部を外側から覆う上下長手のカバー体は、少なくとも各連結ブロックの角部の２側面に対して交差するように内向きに屈曲させた係止片を備え、
前記各係止片に切欠き形成された嵌合溝の上端縁が各連結ブロックの角部の上面に当接することにより、前記カバー体を前記上の連結ブロックの外周面及び角部と、下の連結ブロックの外周面及び角部との間に跨がって被嵌装着するように構成したことを特徴とする間仕切パネルの連結装置。
【請求項２】
前記各フレームの厚さ方向にずれ不能に抱持固定される平面視略Ｈ型の抱持ブロック体を、前記フレームにおける縦枠体の外側端面には、前記連結ブロックが配置される高さ位置ごとに配置し、この抱持ブロック体を前記連結ブロックの外周側面の取付け部位に、フレームの内側から貫通させたボルトにて締着連結することを特徴とする請求項１に記載の間仕切パネルの連結装置。
【請求項３】
前記連結ブロックの一側面には、前記抱持ブロック体を介挿することなくフレームにおける縦枠体の外側端面に直接嵌合してボルト締着可能な嵌合支持部を備えたことを特徴とする請求項２に記載の間仕切パネルの連結装置。
【発明の詳細な説明】
【０００１】
【発明の属する技術分野】
本発明は、正面視矩形に形成したフレームの表裏両側にパネルを着脱自在に装着したタイプの間仕切パネルの複数を、平面視にて、Ｌ字状、Ｔ字状、十字状等に連結するための連結装置の構造に関するものである。
【０００２】
【従来の技術】
複数の間仕切パネルを平面視にて、Ｌ字状、Ｔ字状、十字状等に連結するための連結装置として、例えば特開平９−１４４１６８号公報では、各間仕切パネルにおける矩形のフレームの左右縦枠材の外側面に、上下全長にわたって延びる外向き開口の縦溝を形成し、更に、該各縦枠材の同じ高さ位置に、前記縦溝に嵌合する凸部を備えた連結ブロックを配置し、前記縦溝の底板を貫通するボルトにて前記連結ブロックに締着連結する一方、隣接する間仕切パネルと連結ブロックとの配置隅部及び間仕切パネルの配置されていない側面を覆うための上下長手のカバー体（化粧部材）を、前記上下の連結ブロックに跨がって配置するにあたり、各連結ブロックの外周に係合凹所を凹み形成する一方、カバー体には、前記係合凹所に係止するための係合爪を設けることが開示されている。
【０００３】
【発明が解決しようとする課題】
前記従来の構成によれば、各連結ブロックの形態が複雑になると共に、カバー体の断面形状も複雑になって製造コストが高くなると共に、カバー体と連結ブロックとの係合作業及び取り外す作業も困難になるという問題があった。
さらに、２つの間仕切パネルを直線状に連結するための連結金具は、前記連結ブロックを介して間仕切パネルを連結する際には、不用になり、部品として外す必要があるから、間仕切パネルの配置換え等に際して手間が掛かると共に、外した連結ブロックを紛失し易いという問題もあった。
【０００４】
本発明は、これらの問題を解消した間仕切パネルの連結装置を提供することを目的とするものである。
【０００５】
【課題を解決するための手段】
前記目的を達成するため、請求項１に記載の本発明の間仕切パネルの連結装置は、左右両側部が縦枠体にて構成された間仕切パネルにおけるフレームを、連結ブロックを介して平面視Ｌ字状やＴ字状、十字状等に連結するための連結装置であって、前記各間仕切パネルにおけるフレームの適宜高さ位置にて複数箇所に前記連結ブロックを連結固定し、前記間仕切パネルの配置されていない側面及び／又は隣接する間仕切パネルと連結ブロックとの配置隅部を外側から覆う上下長手のカバー体は、少なくとも各連結ブロックの角部の２側面に対して交差するように内向きに屈曲させた係止片を備え、前記各係止片に切欠き形成された嵌合溝の上端縁が各連結ブロックの角部の上面に当接することにより、前記カバー体を前記上の連結ブロックの外周面及び角部と、下の連結ブロックの外周面及び角部との間に跨がって被嵌装着するように構成したものである。
【０００６】
また、請求項２に記載の発明は、請求項１に記載の間仕切パネルの連結装置において、前記各フレームの厚さ方向にずれ不能に抱持固定される平面視略Ｈ型の抱持ブロック体を、前記フレームにおける縦枠体の外側端面には、前記連結ブロックが配置される高さ位置ごとに配置し、この抱持ブロック体を前記連結ブロックの外周側面の取付け部位に、フレームの内側から貫通させたボルトにて締着連結する構成としたものである。
【０００７】
さらに、請求項３に記載の発明は、請求項２に記載の間仕切パネルの連結装置において、前記連結ブロックの一側面には、前記抱持ブロック体を介挿することなくフレームにおける縦枠体の外側端面に直接嵌合してボルト締着可能な嵌合支持部を備えたものである。
【０００８】
【発明の奏する効果】
請求項１の発明によれば、上下長手のカバー体は、少なくとも各連結ブロックの角部の２側面に対して交差するように内向きに屈曲させた係止片を備え、前記各係止片に切欠き形成された嵌合溝の上端縁が各連結ブロックの角部の上面に当接するように構成されているので、前記各間仕切パネルにおけるフレームの適宜高さ位置にて連結する複数の連結ブロックと、その間の上下に長い隙間空間とを上下長手のカバー体により一体的に覆うことができると共に、これら平面視Ｌ字状やＴ字状、十字状等に連結のために間仕切パネルの配置されていない側面及び／又は隣接する間仕切パネルと連結ブロックとの配置隅部は、連結ブロックの外周面の外側から覆う上下長手のカバー体にて、前記上下の複数の連結ブロックの外周面及び角部との間に跨がって被嵌装着することで脱落不能となるから、従来のように連結ブロック側に係止するための凹所等を形成する必要がなく、連結ブロックもカバー体も形状が極めて簡単となるので製造コストを廉価にできるという効果を奏する。
【０００９】
そして、請求項２に記載の発明によれば、各間仕切パネルのフレームの縦方向の部材に抱持ブロック体を取り付けたまま、連結ブロックに連結できる結果、複数の間仕切パネルの配置換えの作業が簡単且つ容易にできると共に抱持ブロック体を外さないから、当該抱持ブロック体を紛失することがないという効果を奏する。
【００１０】
さらに、請求項３に記載の発明によれば、連結ブロックのうち一側には、前記抱持ブロック体を介挿することなくフレームにおける縦枠体の外側端面に直接嵌合してボルト締着可能な嵌合支持部を備えたものであるから、複数の間仕切パネル同士を抱持ブロック体を介して連結していたものを、その抱持ブロック体が取りついていない側で連結ブロックと簡単に連結することができ、間仕切パネルの連結状態の解除、配置換えを別部品を必要とせず簡単にできるという効果を奏する。
【００１１】
【発明の実施の形態】
次に、本発明を間仕切に適用した実施形態を図面に基づいて説明する。
図１は３つの間仕切パネル１を平面視Ｔ字状に連結する場合の斜視図、図２は間仕切パネルの部品分解斜視図、図３は連結装置の一部切欠き平面図、図４（ａ）は連結ブロックの一部切欠き平面図、図４（ｂ）は図４（ａ）のIVb −IVb 線矢視側面図、図４（ｃ）は図４（ａ）のIVc −IVc 線矢視断面図、図５（ａ）は図４（ａ）のＶａ−Ｖａ線矢視断面図、図５（ｂ）は図４（ａ）のＶｂ−Ｖｂ線矢視側面図である。
【００１２】
図２に示すように、間仕切パネル１は、鋼板の型材等からなる側面視矩形枠状のフレーム２の左右両側（表裏両面）にパネル３、３を着脱自在に装着でき、フレーム２の上端には図示しない笠木（天カバー）を備え、パネル３の下端と床面との間は巾木４にて塞いでいる。フレーム２は、一対の縦枠体５，５とその上下両端に固着した上下一対の横枠体６，６とで矩形に形成されている。なお、上下横枠体６，６の間に補強用の横桟を設けても良いし、逆に、一対の縦枠体５，５の間に補強用の縦桟を設けても良い。
【００１３】
縦枠体５は、断面中空角状の芯材７と、該芯材７の左右両側とフレーム２の外側における間仕切パネル１の厚さ方向の側面とに被嵌してスポット溶接等にて固着した中空略矩形状の外側枠材８とにより構成されている。
フレーム２の外側において、当該間仕切パネル１（ひいてはフレーム２）の端面（厚さ方向の面）の略中央部には、前記外側枠材８に上下に連通する縦溝状の凹部９が凹み形成されている。そして、この縦溝状の凹部９は、一対の側部９ａ，９ａと底部９ｂとからなるように形成されている。
【００１４】
隣合ったフレーム２の縦枠体５，５同士を互いに密接させた状態で平面視一直線状に連結する実施形態においては、後述する抱持ブロック体１０とボルト１８を介して連結する。この場合、向き合う間仕切パネル１，１の厚さ方向の表裏両側の端面同士を当接させるように接合するものである。
なお、前記外側枠体８の両方の端面を含む角部には、それぞれ縦枠体５の上下長手方向に沿って一定間隔にてほぼ矩形状の縦長係合孔２０を穿設し、この各縦長係合孔２０には、棚板を支持するための棚用ブラケット２１の基部に設けた係合爪を係止させるものである（図９参照）。
【００１５】
また、フレーム２を平面視直線状に密接させたり、後述するように、平面視Ｌ字状、Ｔ字状もしくは十字状に連結するべき箇所の外側枠材８には、上下複数の箇所に、抱持ブロック体１０が芯材７に向けて挿入可能な略矩形状の挿入孔１１を形成する。この実施形態における挿入孔１１は、前記凹部９における底部９ｂにのみ矩形状に穿設されている（図１０及び図１１参照）。
【００１６】
図６、図１０及び図１１に示すように、この実施形態では、抱持ブロック体１０は、連結する箇所の両芯材７，７の間に配置させる基部１０ａと、該基部１０ａの左右両端からそれぞれ突出する４つの抱持突起部１０ｂとからなる平面視略Ｈ型に形成されており、この基部１０ａと一対の抱持突起部１０ｂ，１０ｂとで両芯材７をフレーム２の厚さ方向にずれ不能に抱持することができるように構成されている。抱持ブロック体１０における左右一対の抱持突起部１０ｂ，１０ｂの内側間の寸法Ｗ１は、前記芯材７におけるフレーム２の厚さ方向の外側面間の寸法Ｗ１′にほぼ等しくなるように設定され、同じく左右一対の抱持突起部１０ｂ，１０ｂの外側間の寸法Ｗ２は、前記挿入孔１１の左右巾寸法Ｗ２′より小さい寸法であって、挿入孔１１に出し入れするとき、抱持ブロック体１０の左右外面が挿入孔１１の左右側縁につかえないような隙間が形成できる程度である。また、抱持ブロック体１０の縦方向寸法Ｈ１は、前記挿入孔１１の縦方向寸法とほぼ同じできっちりと入る程度である。
【００１７】
さらに、抱持ブロック体１０の基部１０ａには、前記抱持突起部１０ｂが突出する方向と平行状に、位置規制ボス部１２，１２が一体的に突設され、この各位置規制ボス部１２が芯材７に穿設された位置決め孔１３にきっちりと嵌合するように形成されている。そして、前記基部１０ａには、前記両位置規制ボス部１２，１２を貫通するように雌ねじ部１４が穿設されている。なお、この位置規制ボス部１２，１２はなくても良い。
【００１８】
連結する箇所にて抱持ブロック体１０と対峙させて芯材７を挟む補強座体としての平面視コ字型の座金体１５を配置することができる。この場合、縦枠体５の内側には、前記芯材７の側面と外側枠材８との連設部に前記座金体１５の左右両側片が嵌まる係止孔１９，１９が穿設されている。また、前記芯材７とには、頭部に六角孔付きのボルト１８の軸部を挿通させるための挿通孔１６，１７がそれぞれ穿設されている。なお、前記座金体１５を省略して、ボルト１８の頭部を芯材７の内面に直接当接するように芯材７に貫通挿入して抱持ブロック体１０と螺着させても良い。
【００１９】
また、図１に示すように、横枠体６の厚さ方向寸法より、外側枠体８の厚さ方向寸法が大きいことにより、フレーム２の両面に装着したパネル３，３の内面と横枠体６との間に上下方向に配線用コードの挿通のための隙間が形成でき、さらに、外側枠体８の上下方向中途部を適当な寸法だけ切欠いた切欠き部２３を介して隣接するフレーム２に配線用コード引き出すことができる。
【００２０】
次に、間仕切パネル１，１を直線状に連結する作業について説明すると、図１に示すように、隣接する２つのフレーム２，２のうち連結すべき箇所の縦枠体５，５の挿入孔１１，１１に前記抱持ブロック体１０を挿入して、両芯材７，７の側面を抱持ブロック体１０における左右一対の抱持突起部１０ｂ，１０ｂにてフレーム２の厚さ方向にずれないように抱持させる。次いで、フレーム２の内径側より、それぞれ芯材７，７を抱えるように座金体１５，１５を嵌め入れ、この各座金体１５側からボルト１８の軸部を芯材７を貫通させて抱持ブロック体１０の雌ねじ部１４に締着するのである。これにより、各ボルト１８は抱持ブロック体１０と芯材７と座金体１５との三者を締着するのであり、しかも、１つの抱持ブロック体１０とその両側の２つの芯材７，７とを両側のボルト１８，１８にて締着するので、連結強度も強固になる。そして、抱持ブロック体１０における左右一対の抱持突起部１０ｂ，１０ｂにて芯材７をフレーム２の厚さ方向にずれ動くのを阻止できるから、隣接する間仕切パネル１，１を一直線状に配置することが簡単になる。さらに、抱持ブロック体１０の基部１０ａから突出する位置規制ボス部１２が芯材７の位置決め孔１３に嵌合した場合には、両芯材７，７の一層位置ずれをなくすることができる。
【００２１】
上述のように、縦枠体５の外側枠体８に穿設された挿入孔１１を介して抱持ブロック体１０を芯材７に抱持させるので、挿入孔１１に抱持ブロック体１０を挿入しているかぎり、抱持ブロック体１０が脱落せず、また、抱持ブロック体１０にて連結すべき芯材７がフレーム２ひいては間仕切パネル１の厚さ方向にずれず、ボルト１８，１８締着にて２つの芯材７，７と１つの抱持ブロック体１０との三者を強固に連結できる。
【００２２】
また、前記両芯材７，７を厚さ方向に抱持する補強用の座金体１５を介してボルト１８締結すると、座金体１５にて締着時のボルト１８の頭部の面圧を受け止めて、板厚さの薄い芯材７の塑性変形を簡単に防止することができる。
図４（ａ）〜図５（ｂ）は、２つの間仕切パネル１を平面視でＬ字状に連結する場合や、３つの間仕切パネル１を平面視Ｔ字状に連結したり、４つの間仕切パネル１を平面視十字状に連結したりするための連結ブロック４０を示す。
【００２３】
連結ブロック４０は、アルミダイキャスト製もしくは、ガラス短繊維強化プラスチック等にて形成したもので、図４（ａ）に示す連結ブロック４０は、最大で４つの間仕切パネル１を平面視十字状に連結できるように、４方向に外側面を備える。
この連結ブロック４０は、例えば図１に示すように、連結すべき間仕切パネル１の高さ方向に適宜間隔にて複数配置するものであり、前記抱持ブロック体１０の取り付け高さ位置に対応して配置する。
【００２４】
連結ブロック４０は、平面視略矩形状の基板４０ａと、その４周辺にそれぞれ外向きに連設された４つ取り付け部、即ち、１つの第１取り付け部４１と、他の３周辺にそれぞれ設ける同じ形状の３つの第２取り付け部４２ａ，４２ｂ，４２ｃとからなる。基板４０ａには、平面視で十字状のリブ４３が、各取り付け部４１、４２ａ，４２ｂ，４２ｃの背面につながるように設ける。さらに、基板４０ａの４箇所の角部には、平面視で略十字状で高さ寸法Ｈ３の補強リブ４４が各周辺に突出するように一体的に設けられている。
【００２５】
前記第１取り付け部４１は、連結すべき間仕切パネル１の縦枠体５の端面に前記抱持ブロック１０を介在させることなく、直接連結する箇所であって、前記抱持ブロック体１０が取り付けられる間仕切パネル１の縦枠体５の挿入孔１１に嵌合して、芯材７を抱持し、間仕切パネルの厚さ方向の位置ずれを規制するための一対の規制突起部４５ａ，４５ｂが一体的に備えられた嵌合支持部４５により構成され、該嵌合支持部４５は前記抱持ブロック体１０の略半分の突出量に相当する量だけ、基板４０ａの周面から外向きに突出している。また、嵌合支持部４５には、芯材７の内側から貫通させる前記ボルト１８が螺着できる雌ねじ部４６が設けられている（図４（ａ）、図５（ａ）及び図５（ｂ）参照）。
【００２６】
第２取り付け部４２ａ，４２ｂ，４２ｃは、連結すべき間仕切パネル１の縦枠体５の芯材７の所定高さ位置（挿入孔１１の位置）に予めボルト１８にて固定してある抱持ブロック体１０の先端部（外側端部）を介して連結する箇所であって、下方に開放した筐部４７の内側には、前記抱持ブロック体１０の基部１０ａが対面して当接する支持板部４８ａと、基部１０ａの両側の一対の抱持突起部１０ｂ，１０ｂが嵌まる縦長の一対の嵌合溝４８ｂ，４８ｂとを備え、支持板部４８ａには、抱持ブロック体１０の基部１０ａに横向きに穿設された貫通孔５１に貫通する上下の取り付けボルト４９，４９のねじ部に螺着する雌ねじ部５０、５０が穿設されている（図４（ａ）、図４（ｂ）、図４（ｃ）、図５（ａ）及び図６参照）。
【００２７】
これらの構成において、図１及び図３に示すように、３つの間仕切パネル１を連結ブロック４０を介して平面視にてＴ字状に連結する場合、例えば、３つの間仕切パネル１が初めは一直線状に連結されていたものを一旦分解して、前記連結ブロック４０を介して配置換えするときには、まず、各間仕切パネル１のフレーム２の一方の縦枠体５には抱持ブロック体１０を取り付け、他方の縦枠体５からは抱持ブロック体１０を外す。次いで、前記抱持ブロック体１０を外した側の縦枠体５の端面（芯部材７の外面）に、前記連結ブロック４０の一側の第１取り付け部４１の嵌合支持部４５の表面を当接させ、挿入孔１１には対の規制突起部４５ａ，４５ｂを嵌め入れる。この状態で、芯材７の内側からボルト１８を貫通させて嵌合支持部４５における雌ねじ部４６に螺合して密接連結させる。
【００２８】
次いで、第２取り付け部４２ａ，４２ｂに対しては、他の間仕切パネル２，２の一方の縦枠体５に固定したままの抱持ブロック体１０を貫通孔５１，５１に挿通した上下の取り付けボルト４９を介して連結するのである。
そして、間仕切パネル１の連結に使用されなかった各連結ブロック４０における外周側面と、平面視でほぼ直交するように隣接する間仕切パネル１，１と連結ブロック４０の角部との配置隅部とを外側から覆い、且つ上下複数の連結ブロック４０に跨がるように、縦長の第１カバー体５２及び２つの第２カバー体５４，５４をそれぞれ脱落不能に被嵌装着させる。この場合、図３の３つの間仕切パネル１，１が連結されていない連結ブロック４０の一側の直線状の周面と、その両角部とを覆うため、図１２（ａ）に示すほぼ平板状の第１カバー体５２は、広幅板部５２ａとその両端をほぼ直角に折り曲げた短片部５２ｂ，５２ｂと、該各短片部５２ｂの端部から連結ブロック４０の基板４０ａ方向にほぼ直角に向かうように屈曲形成された係止片５２ｃとにより構成されている。さらに、この両係止片５２ｃ，５２ｃには、各高さ位置の連結ブロック４０における角部の補強リブ４４、４４の高さ寸法Ｈ３より若干上下に長い寸法Ｈ４の嵌合溝５３，５３を切欠き形成しておく。
【００２９】
この縦長の第１カバー体５２の左右両側の嵌合溝５３，５３を連結ブロック４０の両角部の補強リブ４３，４３の箇所に嵌め入れると、自動的に上下複数の連結ブロック４０の外周側面に広幅板部５２ａが接近する。そして、前記各嵌合溝５３の上端縁が基板４０ａの角部の上面に当接することにより、第１カバー体５２は脱落不能に被嵌装着できるのである（図７参照）。
【００３０】
図３、図６に示す第２カバー体５４は、連結ブロック４０に対して相隣接する２つの間仕切パネル１が平面視で略直交するように配置された配置隅部に相当する連結ブロック４０の角部を覆うもので、ほぼ直角に折り曲げた短片部５４ｂ，５４ｂと、該各短片部５４ｂの端部から連結ブロック４０の基板４０ａ方向にほぼ直角に向かうように屈曲形成された係止片５４ｃとにより構成されている。この両係止片５４ｃ，５４ｃには、各高さ位置の連結ブロック４０における角部の補強リブ４４、４４の高さ寸法Ｈ３より若干上下に長い寸法Ｈ４の嵌合溝５３，５３を切欠き形成しておくことは、前記第１カバー体５２の場合と同じである。
【００３１】
このように、断面略Ｌ字状に形成された第２カバー体５４も、左右両側の切欠きの嵌合溝５３，５３を連結ブロック４０の両角部の補強リブ４３，４３の箇所に嵌め入れるだけで、当該嵌合溝５３，５３の上端縁が基板４０ａの角部の上面に当接することにより、第２カバー体５４も脱落不能に被嵌装着できるのである。
【００３２】
図８は、２つの間仕切パネル１，１を連結ブロック４０を介して平面視でＬ字状に連結する実施形態を示し、この場合、間仕切パネルが連結されなかった連結ブロック４０の外周面は平面視でＬ字状に大きく開放されているので、図１２（ｂ）に示す第３カバー体５５を用いる。この第３カバー体５５は平面視直角の２つの広幅板部５５ａ，５５ａと、各広幅板部５５ａ，５５ａの端部にほぼ直角に折り曲げた短片部５５ｂ，５５ｂと、該各短片部５５ｂの端部から連結ブロック４０の基板４０ａ方向にほぼ直角に向かうように屈曲形成された係止片５５ｃとにより構成されており、この両係止片５５ｃ，５５ｃには、各高さ位置の連結ブロック４０における角部の補強リブ４４、４４の高さ寸法Ｈ３より若干上下に長い寸法Ｈ４の嵌合溝５３，５３を切欠き形成しておくことは、前記第１カバー体５２の場合と同じである。
【００３３】
また、２つの間仕切パネル１，１が平面視で直交するように交叉する配置隅部では、前記第２カバー体５４を使用すれば良い。
これらの構成によれば、所定の縦長の第１カバー体５２、もしくは第３カバー体５５のいずれかと第２カバー体５４とを組合せて使用することができると共に、各カバー体５２，５４，５５の両短片部に対して屈曲させた係止片５２ｃ、５４ｃ、５５ｃにおける嵌合溝５３の上端縁にて連結ブロック４０の基板４０ａの上面に係止するだけであるから、カバー体の屈曲構造が至極簡単で製造コストを廉価にでき、且つ、各カバー体５，５４，５５を連結ブロック４０に対して着脱する作業も簡単となる。
【００３４】
そして、本発明における連結ブロック４０は、その一側の取り付け部（第１取り付け部４１）では、間仕切パネル１の一方の縦枠体５から抱持ブロック体１０を除去した状態で連結できる一方、他の３側面の第２取り付け部４２ａには、縦枠体５に抱持ブロック体１０を装着したまま連結することができる結果、間仕切パネル１の分解作業や配置換え作業が至極容易にできるという効果を奏する。
【図面の簡単な説明】
【図１】  ３つの間仕切パネルを平面視Ｔ字状に連結する場合の斜視図である。
【図２】  間仕切パネルの部品斜視図である。
【図３】  間仕切パネルを平面視Ｔ字状に連結する場合の連結ブロックの箇所の一部切欠き平面図である。
【図４】  （ａ）は連結ブロックの一部切欠き平面図、（ｂ）は図４（ａ）のIVb −IVb 線矢視側面図、（ｃ）は図４（ａ）のIVc −IVc 線矢視断面図である。
【図５】  （ａ）は図４（ａ）のVa−Va線矢視断面図、（ｂ）は図４（ａ）のVb−Vb線矢視側面図である。
【図６】  連結ブロックにおける第２取り付け部の一部切欠き拡大斜視図である。
【図７】  第１カバー体の被嵌装着箇所を示す連結ブロックの側面図である。
【図８】  ２つの間仕切パネルを平面視Ｌ字状に連結する場合の連結ブロックの箇所の一部切欠き平面図である。
【図９】  間仕切パネルを直線状に連結する場合の縦枠体の接合部を示す拡大断面図である。
【図１０】  間仕切パネルを直線状に連結する場合の抱持ブロック体の箇所の断面図である。
【図１１】  図１０のXI−XI線矢視断面図である。
【図１２】  （ａ）は平板状のカバー体の斜視図、（ｂ）は平断面Ｌ字状のカバー体の斜視図である。
【符号の説明】
１  間仕切パネル
２  フレーム
３  パネル
５  縦枠体
６  横枠体
７  芯材
８  外側枠材
９  縦溝
１０  抱持ブロック体
１０ａ    基部
１０ｂ，１０ｂ    抱持突起部
１１    挿入孔
１４    雌ねじ部
１８    ボルト
１９    係止孔
４０    連結ブロック
４０ａ    基板
４１    第１取り付け部
４２ａ，４２ｂ，４２ｃ      第２取り付け部
４４    補強リブ
４５    嵌合支持部
４５ａ，４５ｂ      規制突起部
４７      筐部
４８ｂ    嵌合溝
４９      取り付けボルト
５２      第１カバー体
５３      嵌合溝
５４      第２カバー体
５５      第３カバー体
【図１】
0003909971.tif 000002
【図２】
0003909971.tif 000003
【図３】
0003909971.tif 000004
【図４】
0003909971.tif 000005
【図５】
0003909971.tif 000006
【図６】
0003909971.tif 000007
【図７】
0003909971.tif 000008
【図８】
0003909971.tif 000009
【図９】
0003909971.tif 000010
【図１０】
0003909971.tif 000011
【図１１】
0003909971.tif 000012
【図１２】
0003909971.tif 000013